(57)【要約】【課題】ＳＡＲの基準を満たし、かつ、製造コストを抑制し、アンテナの配線を複雑化することのない情報処理装置を提供する。【解決手段】情報処理を行うための要素を有する本体ユニット２と、本体ユニット２の一主面に配置された表示部３と、外部に電磁波を送信するアンテナ７〜１０を有する通信機器部とを備える。本体ユニット２の一側面５ａに、側面５ａから突出して配置されたハンドル６を備え、アンテナ７〜１０は、ハンドルが配置された本体ユニットの側面５ａに配置される。【選択図】図１
2010114595.tif 000002
【特許請求の範囲】
【請求項１】
情報処理を行うための情報処理部を有する本体ユニットと、
前記本体ユニットの一主面に配置された表示部と、
前記情報処理部が生成した情報信号を、通信機器部で電磁波信号に変換して外部に送信するアンテナと、
前記本体ユニットの一側面から突出して配置され、前記本体ユニットを把持するハンドルとを備え、
前記アンテナは、前記表示部と前記ハンドルとの間における前記本体ユニットの内部に配置されたことを特徴とする情報処理装置。
【請求項２】
前記本体ユニットの姿勢を検出する姿勢検出部と、
前記姿勢検出部が検出した姿勢に合わせて、前記表示部に表示される画像の向きを変える画像処理部とを備えた請求項１記載の情報処理装置。
【発明の詳細な説明】
【技術分野】
【０００１】
本発明は、電磁波を用いて無線通信可能な携帯用の情報処理装置に関する。
【背景技術】
【０００２】
表示部が配置されたタブレット型情報処理装置が知られている。タブレット型情報処理装置は、一般に、ユーザの手で把持されて使用される携帯用機器である。このようなタブレット型情報処理装置として、表示部に表示される画像の向きをユーザの使用形態に合わせて変えるものが提案されている（例えば、特許文献１参照）。
【０００３】
図５は、従来のタブレット型パーソナルコンピュータ１０１（以下、ＰＣ１０１と称する）の構成を示す斜視図である。ＰＣ１０１は、情報を処理する本体ユニット１０２とモニタ装置１０３とを有している。図５において、ＰＣ１０１は、モニタ装置１０３の長方形の表示部１０４が外向きとなるように配置されている。例えばユーザがＰＣ１０１の側面１０５ａを胸部に当ててＰＣ１０１を操作する場合に、ＰＣ１０１は表示部１０４の長辺方向が画像の上下方向となるように画像を表示部１０４に表示する。また、ユーザがＰＣ１０１の側面１０５ｂを胸部に当ててＰＣ１０１を操作する場合に、ＰＣ１０１は表示部１０４の短辺方向が上下方向となるように画像を表示部１０４に表示する。すなわち、ＰＣ１０１において、それぞれの側面がユーザの胸部に当たる可能性がある。
【０００４】
また、ＰＣ１０１には、外部との通信を行うため、表示部１０４の外縁近傍に無線ＬＡＮのアンテナ１０６ａ、１０６ｂが配置されている。アンテナ１０６ａ、１０６ｂが配置された側面１０５ａ、１０５ｂにユーザの胸部が接していると、ＰＣ１０１は人体が吸収する電磁波のエネルギーの度合いを表わす比吸収率（ＳＡＲ：Specific Absorption Rate）の基準（総務省令）を満たさなくなるおそれがある。そこで、ＰＣ１０１では、アンテナ１０６ａが配置されたＰＣ１０１の側面１０５ａがユーザの胸部と接している場合には、アンテナ１０６ａから電磁波を輻射せず、アンテナ１０６ｂから電磁波を輻射する。また、アンテナ１０６ｂが配置されたＰＣ１０１の側面１０５ｂがユーザの胸部と接している場合には、アンテナ１０６ｂから電磁波を輻射せず、アンテナ１０６ａから電磁波を輻射する。
【０００５】
このため、ユーザの胸部と電磁波が輻射されるアンテナとの間に一定の距離が生じる。このことにより、ＳＡＲが低減して、ＰＣ１０１は、ＳＡＲの基準を満たすことができる。
【特許文献１】特開２００７−２９５３９３号公報
【発明の開示】
【発明が解決しようとする課題】
【０００６】
しかしながら、上記従来のＰＣ１０１では、２つのアンテナ１０６ａ、１０６ｂが必要であり、製造コストが増大する。さらに、２つのアンテナ１０６ａ、１０６ｂは、モニタ装置１０３におけるそれぞれ異なる側面に配置されることから、配線の敷設が複雑になる。
【０００７】
また、近年の情報処理装置の高機能化により、本体ユニット１０２側面およびモニタ装置１０３側面には、電池収納部、あるいは多彩な端子などが配置され、さらに情報処理装置の小型化も相まって、アンテナおよびアンテナに接続される配線を配置するための空間を十分に確保することが難しい。
【０００８】
本発明は、上記課題を解決するためになされたもので、アンテナの送受信特性を維持しながらＳＡＲの基準を満たすことができるパーソナルコンピュータなどの情報処理装置を提供することを目的とする。
【課題を解決するための手段】
【０００９】
本発明の情報処理装置は、上記課題を解決するために、情報処理を行うための情報処理部を有する本体ユニットと、前記本体ユニットの一主面に配置された表示部と、前記情報処理部が生成した情報信号を、通信機器部で電磁波信号に変換して外部に送信するアンテナと、前記本体ユニットの一側面から突出して配置され、前記本体ユニットを把持するハンドルとを備え、前記アンテナは、前記表示部と前記ハンドルとの間における前記本体ユニットの内部に配置されたことを特徴とする。
【発明の効果】
【００１０】
本発明によれば、アンテナをハンドルと本体ユニットとの間に設けることにより、人体とアンテナとに一定の距離が保たれるためにＳＡＲの基準を満たす情報処理装置を提供することができる。
【発明を実施するための最良の形態】
【００１１】
本発明の情報処理装置は、上記構成を基本として種々の態様をとることができる。すなわち、本発明の情報処理装置において、前記本体ユニットの姿勢を検出する姿勢検出部と、前記姿勢検出部が検出した姿勢に合わせて、前記表示部に表示される画像の向きを変える画像処理部とを備えた構成にすることができる。
【００１２】
姿勢検出部が検出した姿勢に応じて、情報処理部がユーザの使用状態を判断して、ユーザの見やすい向きに表示部の画像を縦長あるいは横長で表示することができる。
【００１３】
図１は、本発明の実施の形態に係る情報処理装置１の構成を示す斜視図である。本体ユニット２は、図示しないが情報処理を行うための演算装置および記憶装置を有する。本体ユニット２の一主面には、表示部３が配置されている。表示部３は、タブレット型で、デジタイザーまたはタッチパネル機能を備えるディスプレイになっており、操作ペン、指またはタッチペン（図示せず）で表示面に接触することにより、入力操作可能である。本体ユニット２には、第１側面５ａ、第２側面５ｂ、第３側面５ｃ、第４側面５ｄの４つの側面がある。第１側面５ａに対して、第２側面５ｂおよび第４側面５ｄは略直交し、第３側面５ｃは略平行である。本体ユニット２の表示部３が配置された面には、表示部３近傍に操作ボタン４が配置されている。ユーザが操作ボタン４を操作することにより、情報処理装置１は、例えば、後述するバーコードリーダ１１から読み取り用の光を発光させ、被読み取り部であるバーコードにより反射された光を受光することで、バーコードを読み取ることができる。
【００１４】
第１側面５ａには、その両端が延在して形成され、第１側面５ａから突出したハンドル６が設けられている。ユーザは、ハンドル６を把持することで、情報処理装置１を容易に運搬することができる。
【００１５】
また、第１側面５ａの近傍には、ＷＷＡＮ（Wireless Wide Area Network）アンテナ７、およびＷＬＡＮ（Wireless Local Area Network）アンテナ８が配置されている。ＷＷＡＮアンテナ７、ＷＬＡＮアンテナ８により、サーバーなどとデータの送受信を行うことができる。また、第１側面５ａの近傍には、Ｂｌｕｅｔｏｏｔｈ（登録商標）アンテナ９が配置されている。Ｂｌｕｅｔｏｏｔｈアンテナ９により、他の機器との間でデータの送受信を行うことができる。さらに、第１側面５ａの近傍には、ＧＰＳ（Global Positioning System）アンテナ１０が配置されている。ＧＰＳアンテナ１０により、情報処理装置１の位置を正確に知ることができる。本実施の形態におけるＷＷＡＮアンテナ７、ＷＬＡＮアンテナ８、Ｂｌｕｅｔｏｏｔｈアンテナ９およびＧＰＳアンテナ１０は、アンテナ特性とスペースとを考慮してこの配置としたが、例えばＢｌｕｅｔｏｏｔｈアンテナ９およびＧＰＳアンテナ１０の配置は情報処理装置１の厚さ方向に重畳する必要はなく、独立した位置に配置しても良い。
【００１６】
なお、第１側面５ａに配置されたＷＷＡＮアンテナ７、ＷＬＡＮアンテナ８、Ｂｌｕｅｔｏｏｔｈアンテナ９およびＧＰＳアンテナ１０（以下各種アンテナ７〜１０と称する）は、第１側面５ａの近傍に配置されているが、第２側面５ｂおよび第４側面４ｃからは、少なくとも１ｃｍ程度離れているため、後述するようにＳＡＲ対策を満足できる。
【００１７】
なお、詳細は後述するが、各種アンテナ７〜１０から輻射される電磁波は、人体に吸収されやすい。
【００１８】
第３側面５ｃの近傍には、バーコードリーダ１１が配置されている。図示しないが、第２側面５ｂおよび第４側面５ｄには、情報処理装置１を駆動させる電池を収納する電池収納部、外部からデータを入力するための入出力端子などが配置されている。
【００１９】
図２は、情報処理装置１の前面筐体および表示部３を取り外した状態を示す平面図である。本体ユニット２の中央部には、シャーシ１３が配置されている。シャーシ１３は、金属により構成され、内部に姿勢検出部１５および情報処理部１４が配置されている。シャーシ１３は、熱伝導性、堅牢性及び軽量を考慮するとマグネシウム合金で形成されていることが好ましい。
【００２０】
姿勢検出部１５は、加速度センサを有し、本体ユニット２の姿勢を検出することにより、ユーザがどのような向きで情報処理装置１を使用しているかを判断する。情報処理部１４は、演算装置および記憶装置を有し、姿勢検出部１５の検出結果に基づいて、表示部３に表示する画像の向きを変換する画像処理を行う画像処理部も備える。例えば、水平面に対して第２側面５ｂ側が下、第４側面５ｄが上となるように傾いている場合に、情報処理部１４は、第２側面５ｂがユーザ側にあると判断し、第２側面５ｂ側が下となるように、画像処理部により表示部３に表示された画像の向きを変える。また、情報処理部１４は、各種アンテナ７〜１０の送受信処理などを行う通信機器部も備える。
【００２１】
なお、画像処理部の表示画像向き変換信号は、操作ボタン４の操作によってもできる。
【００２２】
前述したように、シャーシ１３は電磁波を透過し難い金属により構成されるため、送受信特性を考慮して各種アンテナ７〜１０は、シャーシ１３の周辺部に配置する必要がある。また、小型及びアンテナ７〜１０の配線の引き回しを簡素化するためには、シャーシ１３の周辺部は側面５ａ〜５ｄの内できるだけ一つの側面に集中配置することが好ましく、本実施の形態ではハンドル６が対向する第１側面５ａ側で、表示部３との間に備えた。
【００２３】
また、ハンドル６は、例えばシャーシ１３等の金属を含有しない樹脂のみで構成されている。各種アンテナ７〜１０が第１側面５ａに沿って配置されてもハンドル６内には電磁波を遮る金属がないため、情報処理装置１の通信機器部に送受信させるアンテナ７〜１０の電磁波が吸収および反射されることがなく、各種アンテナ７〜１０における電磁波の送受信特性を良好にすることができる。
【００２４】
ところで前述したように、各種アンテナ７〜１０から送信する際に輻射される電磁波は、人体に吸収されやすい。このため、各種アンテナ７〜１０と人体が近接すると、ＳＡＲが総務省令の基準を超えてしまうことがある。情報処理装置１がＳＡＲの基準を満たすためには、各種アンテナ７〜１０が人体（腹部および胸部）から少なくとも１ｃｍ程度離れていることが必要である。
【００２５】
以下に、本実施の形態に係る情報処理装置１の使用状態における人体と各種アンテナ７〜１０との位置関係ついて、図３Ａ〜図３Ｃを参照して説明する。図３Ａ〜図３Ｃは、情報処理装置１の各使用状態を示す図である。なお、本実施の形態では、医療現場を例に情報処理装置１の使用状態を説明する。また、タブレット型の表示部３に対しタッチペン１７を用いて入力する場合について説明するが、タッチペン以外でも指であっても、またはデジタイザー機能を備える場合には操作ペンであっても同様である。
【００２６】
図３Ａに示すように、タッチペン１７を用いて電子カルテなどに患者の情報を入力する場合に、ユーザは、通常、第３側面５ｃをユーザの腹部あるいは胸部に押し当てて情報処理装置１を把持して使用する。この場合、ユーザは、ＳＡＲに関係する各種アンテナ７〜１０との間が本体ユニット２の縦方向の長さＬ（図２参照）だけ離れるため、情報処理装置本体１はＳＡＲの基準を満たすことができる。
【００２７】
また、診断画像など縦長の情報を見る場合に、ユーザは、図３Ｂに示すように、第２側面５ｂまたは第４側面５ｄをユーザの腹部または胸部に押し当て、表示部３を縦置きとして情報処理装置１を把持して使用する。この場合、ＳＡＲに関係する各種アンテナ７〜１０は、図１に示すように、ユーザが近接する第２側面５ｂまたは第４側面５ｄと略直交する第１側面５ａに配置されており、ユーザに最も近接するＷＷＡＮアンテナ７も第４側面５ｄから少なくとも１ｃｍ程度の間隔を介して配置されており、上述したようにユーザとの間に十分な距離がある。このため、情報処理装置１はＳＡＲの基準を満たすことができる。
【００２８】
また、図３Ｃに示すように、患者から採血する場合に、ユーザは、採取した血液を容器１８に入れ、容器１８にバーコード１９が付されたシールを貼り、バーコードリーダ１１でバーコード１９を読み取ることにより、採取した血液と患者とを関連づける。バーコードリーダ１１は、情報処理装置本体１の第３側面５ｃ側に配置され、操作ボタン４により操作されるので、ユーザは、バーコード１９を読み取る際に、ハンドル６がユーザの腹部あるいは胸部に押し当てられた状態で情報処理装置１を用いる。この場合には、ＳＡＲに関係する各種アンテナ７〜１０（図１参照）はハンドル６の表面１６から図２に示す距離Ｈ（例えば、５ｃｍ）だけ離れた第１側面５ａの近傍に配置されているため、情報処理装置１はＳＡＲの基準を満たすことができる。
【００２９】
以上のように、本実施の形態に係る情報処理装置１は、あらゆる使用形態においてアンテナ７〜１０の送受信感度を低下させることなく、規定されたＳＡＲ基準を満たすことができる。
【００３０】
また、送信アンテナ７〜１０それぞれを１側面にのみ配置すればよいため、コストを抑えることができ、配線を簡素化することができる。さらに、各種アンテナ７〜１０を第１側面５ａに集めることができ、他の側面に電池収納部や入出力端子を配置することができる。
【００３１】
なお、本実施の形態では、ハンドル６の両端が第１側面５ａの両端それぞれから連設し、第１側面５ａを覆う形状を例に説明したが、ユーザと各種アンテナ７〜１０との間に一定の距離を保つことができ、ハンドルとして機能する構成であればどのような形状であってもよい。例えば、図４に示すように、ハンドル６ｂが略Ｔ字型の形状であっても、ユーザと各種アンテナ７〜１０との間に一定の距離を保つことができ、ハンドルとして機能することができる。
【００３２】
本実施の形態では、ハンドル６が第１側面５ａから突出して固定された構成を例にして説明した。しかし、本発明に係る情報処理装置は、この構成に限定されず、例えば、ハンドル６が第１側面５ａに収納可能な構成の場合には、ハンドル６が収納状態であってもアンテナ７〜１０から少なくとも１ｃｍ以上の距離を確保できる構成、またはハンドル６が収納されていることを感知するセンサを設け、ハンドル６が収納されている場合には、各種アンテナ７〜１０から電磁波が輻射されないよう制御する構成であってもよい。この構成においても、ＳＡＲを低減する効果が得られる。
【００３３】
なお、本実施の形態では、第３側面５ｃの近傍に、バーコードリーダ１１が配置された構成を示した。しかし、本発明はこの構成に限定されず、例えばバーコードリーダ１１とともにＲＦＩＤリードライタを配置する構成にしてもよい。
【００３４】
ＲＦＩＤリードライタを第３側面５ｃの近傍に配置する場合において、バーコードリーダ１１およびＲＦＩＤリードライタを双方それぞれ独立した位置に配置することができる。しかし、必ずしも双方それぞれ独立した位置に備える必要はなく、ともに第３側面５ｃの一端部近傍の位置に配置された構成であっても良い。例えばハンドル６をユーザが把持した状態で、バーコードまたはＲＦＩＤタグを読み取る際には、情報処理装置１の第３側面５ｃを傾斜させるため、一端部近傍のみの場合は傾けた上側となる位置（本実施の形態におけるバーコードリーダ１１の位置）に配置することが好ましい。
【００３５】
また、バーコードリーダ１１およびＲＦＩＤリードライタ双方を備える場合にも、上述したように傾けた上側となる第４側面５ｃの位置にまとめる構成が、ユーザの使い勝手が良いため好ましい。
【００３６】
また、上述の実施の形態では情報処理装置が医療現場で用いられる場合を例に挙げて説明したが、例えば倉庫等に収納している商品管理、災害現場での救出活動等の業務用途や、アンテナ７〜１０を介して例えばゲームやナビゲーション端末等のパーソナル用途としても適用できる。
【産業上の利用可能性】
【００３７】
本発明は、ＳＡＲを低減しかつ、コストを抑制することができ、配線を簡素化することができるという利点を有し、情報処理装置として利用可能である。
【図面の簡単な説明】
【００３８】
【図１】本発明の実施の形態に係る情報処理装置の構成を示す斜視図
【図２】本発明の実施の形態に係る情報処理装置の分解した状態を示す平面図
【図３Ａ】本発明の実施の形態に係る情報処理装置の使用状態を示す図
【図３Ｂ】本発明の実施の形態に係る情報処理装置の使用状態を示す図
【図３Ｃ】本発明の実施の形態に係る情報処理装置の使用状態を示す図
【図４】本発明の実施の形態に係る情報処理装置の別の構成を示す斜視図
【図５】従来の情報処理装置の構成を示す斜視図
【符号の説明】
【００３９】
１  情報処理装置
２  本体ユニット
３  表示部
４  操作ボタン
５ａ  第１側面
５ｂ  第２側面
５ｃ  第３側面
５ｄ  第４側面
６、６ｂ  ハンドル
７  ＷＷＡＮアンテナ
８  ＷＬＡＮアンテナ
９  Ｂｌｕｅｔｏｏｔｈアンテナ
１０  ＧＰＳアンテナ
１１  バーコードリーダ
１３  シャーシ
１４  情報処理部
１５  姿勢検出部
１６  表面
１７  タッチペン
１８  容器
１９  バーコード
【図１】
2010114595.tif 000003
【図２】
2010114595.tif 000004
【図３Ａ】
2010114595.tif 000005
【図３Ｂ】
2010114595.tif 000006
【図３Ｃ】
2010114595.tif 000007
【図４】
2010114595.tif 000008
【図５】
2010114595.tif 000009